(57)【要約】【課題】購入した商品の会計と駐車料金の会計とを１回で済ませることが可能な商品販売データ処理装置、商品販売データ処理システムおよびプログラムを提供する。【解決手段】ＰＯＳ端末（商品販売データ処理装置）の商品情報読取部が商品情報を含むバーコードを読み取り、入庫カード読取部が、入庫時刻を含む第２の符号化情報が印字された入庫カードを読み取る。次に、商品料金算出部が商品の料金を算出して、駐車料金算出部が駐車料金を算出して、会計処理部（会計手段）が、商品の料金および駐車料金の支払処理を行う。レシート発行部は、商品の料金と駐車料金とを印字したレシートを発行し、出庫カード発行部は、入庫カード読取部が第２の符号化情報を読み取った時刻と、駐車料金が支払済であることとを示すバーコードを印字した出庫カードを発行する。【選択図】図６
2018101370.tif 000002
【特許請求の範囲】
【請求項１】
店舗で販売される商品に付与された当該商品の商品情報を含む第１の符号化情報と、車両を駐車場に入庫した際に発行される、入庫時刻を含む第２の符号化情報が印字された入庫カードとを読み取る読取手段と、
前記読取手段が読み取った前記第１の符号化情報に基づいて、前記商品の料金を算出する第１の算出手段と、
前記読取手段が前記第２の符号化情報を読み取った時刻と前記入庫時刻との差分値と、前記駐車場の駐車料金表とに基づいて、駐車料金を算出する第２の算出手段と、
前記商品の料金および前記駐車料金の支払処理を行う会計手段と、
前記第１の算出手段が算出した前記商品の料金と、前記第２の算出手段が算出した前記駐車料金とをそれぞれ印字したレシートを発行する第１の発行手段と、
前記第２の算出手段が駐車料金を算出したことを条件として、前記読取手段が前記第２の符号化情報を読み取った時刻と、駐車料金が支払済であることとを示す第３の符号化情報とを印字した出庫カードを発行する第２の発行手段と、
を備えることを特徴とする商品販売データ処理装置。
【請求項２】
前記第１の発行手段は、前記レシートと前記出庫カードとを１枚のレシートとして発行する
ことを特徴とする請求項１に記載の商品販売データ処理装置。
【請求項３】
前記第１の符号化情報および前記第２の符号化情報はバーコードである
ことを特徴とする請求項１または請求項２に記載の商品販売データ処理装置。
【請求項４】
前記第２の算出手段は、さらに、顧客が購入した前記商品の料金の総額に基づいて、前記駐車料金を算出する
ことを特徴とする請求項１から請求項３のいずれか１項に記載の商品販売データ処理装置。
【請求項５】
駐車場に設置されて、車両の入庫時に入庫時刻を含む第２の符号化情報が印字された入庫カードを発行する入庫管理手段と、
店舗で販売される商品に付与された当該商品の商品情報を含む第１の符号化情報と、前記入庫カードに印字された前記第２の符号化情報とを読み取る読取手段と、
前記読取手段が読み取った前記第１の符号化情報に基づいて、前記商品の料金を算出する第１の算出手段と、
前記読取手段が前記第２の符号化情報を読み取った時刻と前記入庫時刻との差分値と、前記駐車場の駐車料金表とに基づいて、駐車料金を算出する第２の算出手段と、
前記商品の料金および前記駐車料金の支払処理を行う会計手段と、
前記第１の算出手段が算出した前記商品の料金と、前記第２の算出手段が算出した前記駐車料金とをそれぞれ印字したレシートを発行する第１の発行手段と、
前記第２の算出手段が駐車料金を算出したことを条件として、前記読取手段が前記第２の符号化情報を読み取った時刻と、駐車料金が支払済であることとを示す第３の符号化情報とを印字した出庫カードを発行する第２の発行手段と、
前記駐車場に設置されて、前記車両の出庫時に、前記出庫カードに印字された前記第３の符号化情報を読み取って、駐車料金が支払済であるかの確認、および駐車料金が不足であった場合の精算を行う出庫管理手段と、
を備えることを特徴とする商品販売データ処理システム。
【請求項６】
商品販売データ処理装置を制御するコンピュータを、
店舗で販売される商品に付与された当該商品の商品情報を含む第１の符号化情報と、車両を駐車場に入庫した際に発行される、入庫時刻を含む第２の符号化情報が印字された入庫カードとを読み取る読取手段と、
前記読取手段が読み取った前記第１の符号化情報に基づいて、前記商品の料金を算出する第１の算出手段と、
前記読取手段が前記第２の符号化情報を読み取った時刻と前記入庫時刻との差分値と、前記駐車場の駐車料金表とに基づいて、駐車料金を算出する第２の算出手段と、
前記商品の料金および前記駐車料金の支払処理を行う会計手段と、
前記第１の算出手段が算出した前記商品の料金と、前記第２の算出手段が算出した前記駐車料金とをそれぞれ印字したレシートを発行する第１の発行手段と、
前記第２の算出手段が駐車料金を算出したことを条件として、前記読取手段が前記第２の符号化情報を読み取った時刻と、駐車料金が支払済であることとを示す第３の符号化情報とを印字した出庫カードを発行する第２の発行手段と、
して機能させるためのプログラム。
【発明の詳細な説明】
【技術分野】
【０００１】
本発明の実施形態は、商品販売データ処理装置、商品販売データ処理システムおよびプログラムに関する。
【背景技術】
【０００２】
従来、駐車場に車を駐車して店舗で買い物を行う場合、商品の会計と駐車料金の会計とは別々に行っていた（例えば、特許文献１）。すなわち、購入した商品の会計はレジで行い、駐車料金の会計は店舗のサービスカウンタまたは駐車場で行っていた。
【０００３】
そのため、顧客は、２度に分けて会計を行う必要があった。さらに、顧客は、商品の会計待ちと駐車料金の会計待ちとを繰り返す可能性があった。したがって、買い物に要する時間が長くなり非効率的であった。
【発明の概要】
【発明が解決しようとする課題】
【０００４】
本発明が解決しようとする課題は、購入した商品の会計と駐車料金の会計とを１回で済ませることが可能な商品販売データ処理装置、商品販売データ処理システムおよびプログラムを提供することである。
【課題を解決するための手段】
【０００５】
実施形態の商品販売データ処理装置は、読取手段と、第１の算出手段と、第２の算出手段と、会計手段と、第１の発行手段と、第２の発行手段とを備える。読取手段は、店舗で販売される商品に付与された当該商品の商品情報を含む第１の符号化情報と、車両を駐車場に入庫した際に発行される、入庫時刻を含む第２の符号化情報が印字された入庫カードとを読み取る。第１の算出手段は、読取手段が読み取った第１の符号化情報に基づいて、商品の料金を算出する。第２の算出手段は、読取手段が第２の符号化情報を読み取った時刻と入庫時刻との差分値と、駐車場の駐車料金表とに基づいて、駐車料金を算出する。会計手段は、商品の料金および駐車料金の支払処理を行う。第１の発行手段は、第１の算出手段が算出した商品の料金と、第２の算出手段が算出した駐車料金とをそれぞれ印字したレシートを発行する。第２の発行手段は、第２の算出手段が駐車料金を算出したことを条件として、読取手段が第２の符号化情報を読み取った時刻と、駐車料金が支払済であることとを示す第３の符号化情報とを印字した出庫カードを発行する。
【図面の簡単な説明】
【０００６】
【図１】図１は、実施形態に係る商品販売データ処理システムの全体構成を示すブロック図である。
【図２】図２は、ＰＯＳ端末の外観図である。
【図３】図３は、駐車場管理装置の外観図である。
【図４】図４は、ＰＯＳ端末のハードウェア構成を示すハードウェアブロック図である。
【図５】図５は、駐車場管理装置のハードウェア構成を示すハードウェアブロック図である。
【図６】図６は、ＰＯＳ端末の機能構成を示す機能ブロック図である。
【図７】図７は、駐車場管理装置の機能構成を示す機能ブロック図である。
【図８】図８は、ＰＯＳ端末が発行するレシートと出庫カードの一例を示す図であり、図８（ａ）は、レシートの一例を示す図である。図８（ｂ）は、出庫カードの一例を示す図である。
【図９】図９は、ＰＯＳ端末が発行するレシートの別の一例を示す図である。
【図１０】図１０は、駐車場管理装置が車両の入庫時に行う処理の流れを示すフローチャートである。
【図１１】図１１は、ＰＯＳ端末が会計時に行う処理の流れを示すフローチャートである。
【図１２】図１２は、駐車場管理装置が車両の出庫時に行う処理の流れを示すフローチャートである。
【発明を実施するための形態】
【０００７】
本発明の商品販売データ処理装置の適用例である商品販売データ処理システム１について、図面を用いて説明する。図１は、商品販売データ処理システム１の全体構成を示すブロック図である。図１に示すように、商品販売データ処理システム１は、店舗に備えられた商品販売データ処理装置の一例であるＰＯＳ（Point  Of  Sales）端末１０と、駐車場に備えられた駐車場管理装置１００とを備える。ＰＯＳ端末１０は、店舗の各レジに備えられた、複数のＰＯＳ端末１０ａ、…、１０ｎを備える。また、駐車場管理装置１００は、駐車場の各ゲートに設置された、複数の駐車場管理装置１００ａ、…、１００ｍを備える。
【０００８】
ＰＯＳ端末１０ａ、…１０ｎは、顧客が店舗で購入した商品の商品情報を登録する商品登録処理を行うとともに、商品代金の会計処理を行う。また、ＰＯＳ端末１０ａ、…１０ｎは、顧客が駐車場を利用した際に発生する駐車料金を算出するとともに、駐車料金の会計処理を行う。さらに、ＰＯＳ端末１０ａ、…１０ｎは、駐車料金の会計を終了したことを条件として、駐車料金を支払済であることを示す情報と、精算時刻情報とを含む出庫カードを発行する。
【０００９】
駐車場管理装置１００ａ、…１００ｍは、車両が入庫すること、および車両が出庫することを検出する。そして、駐車場管理装置１００ａ、…１００ｍは、顧客が駐車場に入庫した際に、入庫時刻を含む情報が印字された入庫カード（非図示）を発行する。また、駐車場管理装置１００ａ、…１００ｍは、顧客が駐車場から車両を出庫する際に、出庫カードの内容を読み取る。そして、駐車料金が支払済であることを条件として、出庫ゲートを開く。また、駐車料金が不足していることを条件として、不足料金の精算を行う。さらに、駐車場管理装置１００ａ、…１００ｍは、入庫カードの内容を読み取って、駐車料金の精算を行う。
【００１０】
なお、説明を簡単にするため、以降、商品販売データ処理システム１は、１台のＰＯＳ端末１０ａと、１台の駐車場管理装置１００ａとから構成されるものとして説明する。
【００１１】
図２は、ＰＯＳ端末１０ａの外観図である。ＰＯＳ端末１０ａは、カードリーダ／ライタ（Ｒ／Ｗ）１１とキーボード１３を備える。カードＲ／Ｗ１１は、顧客が駐車場に入庫した際に、駐車場管理装置１００ａが発行した入庫カードの内容を読み取る。また、カードＲ／Ｗ１１は、クレジットカードやポイントカード等のカードにて決済を行うために、カード情報の読み取り、およびカードへの情報の書き込みを行う。キーボード１３は、テンキー、部門キー、小計キー、預／現計キー、領収書発行キー、精算キー、免税宣言キー、品名リスト出力キー等を有する。また、ＰＯＳ端末１０ａは、ともに液晶表示器で構成されたキャッシャ用表示部１５と客用表示部１６、および長尺状のレシート用紙に売上情報を印字してレシート発行口１８から、後述するレシート７０ａ（図８（ａ））および出庫カード８０（図８（ｂ））として発行するプリンタ１７を備える。
【００１２】
さらにＰＯＳ端末１０ａは、バーコードリーダ２２を備える。バーコードリーダ２２は、顧客が購入する商品に貼付されたバーコードに含まれる商品情報を読み取ってＣＰＵ（Central  Processing  Unit）３１（図４）に送信する。
【００１３】
図３は、駐車場管理装置１００ａの外観図である。駐車場管理装置１００ａは、精算機１０１と、ゲート開閉機１１０とを備える。精算機１０１は、車両が入庫すること、および車両が出庫することを検出する。また、精算機１０１は、入庫時に入庫カードを発行する。さらに、精算機１０１は、駐車料金の精算を行う。精算機１０１は、表示部１０２と、発券ボタン１０３と、入出庫カード出入口１０４と、出庫カード読取部１０５と、紙幣投入口１０６と、硬貨投入口１０７と、紙幣返却口１０８と、硬貨返却口１０９と、非図示の車両検出部とを備える。
【００１４】
表示部１０２は液晶表示器で構成されて、駐車料金の精算を行う際に必要な情報を表示する。発券ボタン１０３は、車両を入庫する際に押下して、入庫カードの発行を指示するボタンである。入出庫カード出入口１０４は、車両を入庫する際に発行された入庫カードの出口である。また、入出庫カード出入口１０４は、車両を出庫する際に入庫カードまたは出庫カードを投入する入口である。出庫カード読取部１０５は、ＰＯＳ端末１０ａが発行した出庫カードの内容を読み取るバーコードリーダである。
【００１５】
紙幣投入口１０６は、駐車料金の精算を行う際に紙幣を投入する投入口である。硬貨投入口１０７は、駐車料金の精算を行う際に硬貨を投入する投入口である。紙幣返却口１０８は、駐車料金の精算を行う際に、釣銭としての紙幣を返却する出口である。硬貨返却口１０９は、駐車料金の精算を行う際に、釣銭としての硬貨を返却する出口である。
【００１６】
また、非図示の車両検出部は、例えばカメラや超音波センサ等を有する物体センサを備えて、精算機１０１に対する車両の接近を検出する。
【００１７】
そして、ゲート開閉機１１０は、車両の入庫を許可する。また、ゲート開閉機１１０は、駐車料金の精算が済んでいることを条件として、車両の出庫を許可する。ゲート開閉機１１０は、バー１１１を備える。バー１１１は、ゲート開閉機１１０によって開閉制御されて、車両の入出庫を制御する。
【００１８】
（ＰＯＳ端末のハードウェア構成の説明）
図４は、ＰＯＳ端末１０ａのハードウェア構成を示すハードウェアブロック図である。図４に示すように、ＰＯＳ端末１０ａは、ＣＰＵ３１、ＲＯＭ（Read  Only  Memory）３２、ＲＡＭ（Random  Access  Memory）３３等で構成されるコンピュータ構成の制御部３０を備える。ＣＰＵ３１は、各種演算処理を実行し各部を制御する。ＲＯＭ３２は、固定データを固定的に記憶保存する。ＲＡＭ３３は、可変データを書き換え自在に記憶してワークエリアとして使用される。ＣＰＵ３１とＲＯＭ３２とＲＡＭ３３は、バスライン３４を介して接続されている。
【００１９】
また、ＰＯＳ端末１０ａには、コントローラ３５を介して、周辺機器である、キーボード１３、キャッシャ用表示部１５、客用表示部１６、プリンタ１７、カードＲ／Ｗ１１、バーコードリーダ２２等が接続されている。これらの周辺機器の動作は、いずれも、制御部３０によって制御される。
【００２０】
キーボード１３は、前述したように、各種のキーを配列している。キャッシャ用表示部１５は、顧客が購入する商品の登録処理および会計処理を行う際に、キャッシャに対する情報表示を行う。客用表示部１６は、登録処理および会計処理を行う際に、顧客に対する情報表示を行う。プリンタ１７は、売上情報を印字して、後述するレシート７０ａ（図８（ａ））として発行する。また、プリンタ１７は、後述する出庫カード８０（図８（ｂ））を印字して発行する。カードＲ／Ｗ１１は、前述したように、入庫カードの内容の読み取り、および、クレジットカードやポイントカード等のカード情報の読み取り、およびカードへの情報の書き込みを行う。バーコードリーダ２２は、前述したように、商品に付与されたバーコードに含まれる商品情報を読み取る。
【００２１】
さらに、ＰＯＳ端末１０ａは、店舗内に設けられた非図示のネットワークを介して、上位装置である店舗サーバ４とデータ通信をするための通信インタフェース（Ｉ／Ｆ）２４を備えている。この通信インタフェース２４もバスライン３４に接続されている。
【００２２】
また、制御部３０には、バスライン３４を介して、ストレージデバイスであるメモリ部２６が接続されている。メモリ部２６は、ＨＤＤ（Hard  Disc  Drive）やフラッシュメモリ等で構成されており、電源を遮断しても記憶内容を維持する。
【００２３】
メモリ部２６には、オペレーティングシステム、各種コンピュータプログラム等の制御プログラムＰ１、および各種データファイルが記憶されている。データファイルとしては、店舗サーバ４から配信される商品マスタファイルＦ１、駐車場管理装置１００ａを管理する駐車場サーバ１４２（図５）から、店舗サーバ４を介して配信される駐車料金マスタファイルＦ２等がある。それぞれのファイルの内容については後述する。
【００２４】
実施形態のＰＯＳ端末１０ａで実行される制御プログラムＰ１は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されて提供される。
【００２５】
また、実施形態のＰＯＳ端末１０ａで実行される制御プログラムＰ１を、インターネット等のネットワークに接続されたコンピュータ上に格納し、ネットワーク経由でダウンロードさせることにより提供するように構成してもよい。また、実施形態のＰＯＳ端末１０ａで実行される制御プログラムＰ１をインターネット等のネットワーク経由で提供又は配布するように構成してもよい。
【００２６】
さらに、実施形態のＰＯＳ端末１０ａで実行される制御プログラムＰ１を、ＲＯＭ３２に予め組み込んで提供するように構成してもよい。
【００２７】
（駐車場管理装置のハードウェア構成の説明）
図５は、駐車場管理装置１００ａのハードウェア構成を示すハードウェアブロック図である。図５に示すように、駐車場管理装置１００ａは、ＣＰＵ１３１、ＲＯＭ１３２、ＲＡＭ１３３等で構成されるコンピュータ構成の制御部１３０を備える。ＣＰＵ１３１は、各種演算処理を実行し各部を制御する。ＲＯＭ１３２は、固定データを固定的に記憶保存する。ＲＡＭ１３３は、可変データを書き換え自在に記憶してワークエリアとして使用される。ＣＰＵ１３１とＲＯＭ１３２とＲＡＭ１３３は、バスライン１３４を介して接続されている。
【００２８】
また、駐車場管理装置１００ａには、コントローラ１３５を介して、周辺機器である、表示部１０２、発券ボタン１０３、入庫カードリーダ１３６、プリンタ１３７、バーコードリーダ１３８、紙幣入出金部１３９、硬貨入出金部１４０等が接続されている。これらの周辺機器の動作は、いずれも、制御部１３０によって制御される。
【００２９】
前述したように、表示部１０２は、液晶表示器で構成されて、駐車料金の精算を行う際に必要な情報を表示する。発券ボタン１０３は、入庫カードの発行を指示するボタンである。
【００３０】
入庫カードリーダ１３６は、入出庫カード出入口１０４（図３）から投入された入庫カードの内容を読み取る。プリンタ１３７は、入庫カードを発行する際に入庫時刻等の情報の印字を行う。バーコードリーダ１３８は、出庫カード読取部１０５（図３）に設置されて、出庫カードに印字されたバーコードの内容を読み取る。
【００３１】
また、紙幣入出金部１３９は、紙幣を投入する投入口である紙幣投入口１０６から投入された紙幣を収納する。また、紙幣入出金部１３９は、紙幣を払い出す払出口である紙幣返却口１０８に釣銭としての紙幣を払い出す。硬貨入出金部１４０は、硬貨を投入する投入口である硬貨投入口１０７から投入された硬貨を収納する。また、硬貨入出金部１４０は、硬貨を払い出す払出口である硬貨返却口１０９に釣銭としての硬貨を払い出す。
【００３２】
さらに、駐車場管理装置１００ａは、駐車場に設けられた非図示のネットワークを介して、上位装置である駐車場サーバ１４２とデータ通信をするための通信インタフェース（Ｉ／Ｆ）１２４を備えている。この通信インタフェース１２４もバスライン１３４に接続されている。
【００３３】
また、制御部１３０には、バスライン１３４を介して、ストレージデバイスであるメモリ部１２６が接続されている。メモリ部１２６は、ＨＤＤやフラッシュメモリ等で構成されており、電源を遮断しても記憶内容を維持する。
【００３４】
メモリ部１２６には、オペレーティングシステム、各種コンピュータプログラム等の制御プログラムＰ２、および各種データファイルが記憶されている。データファイルとしては、駐車場サーバ１４２から配信される駐車料金マスタファイルＦ２等がある。
【００３５】
実施形態の駐車場管理装置１００ａで実行される制御プログラムＰ２は、インストール可能な形式又は実行可能な形式のファイルでＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録されて提供される。
【００３６】
また、実施形態の駐車場管理装置１００ａで実行される制御プログラムＰ２を、インターネット等のネットワークに接続されたコンピュータ上に格納し、ネットワーク経由でダウンロードさせることにより提供するように構成してもよい。また、実施形態の駐車場管理装置１００ａで実行される制御プログラムＰ２をインターネット等のネットワーク経由で提供又は配布するように構成してもよい。
【００３７】
さらに、実施形態の駐車場管理装置１００ａで実行される制御プログラムＰ２を、ＲＯＭ１３２に予め組み込んで提供するように構成してもよい。
【００３８】
（ＰＯＳ端末の機能構成の説明）
次に、ＰＯＳ端末１０ａの機能的構成について説明する。図６は、ＰＯＳ端末１０ａの機能構成を示す機能ブロック図である。
【００３９】
ＰＯＳ端末１０ａの制御部３０（ＣＰＵ３１）は、メモリ部２６に記憶された制御プログラムＰ１と協働することで、商品情報読取部５０と、入庫カード読取部５２と、商品料金算出部５４と、商品登録部５５と、駐車料金算出部５６と、会計処理部５７と、レシート発行部５８と、出庫カード発行部６０と、現在時刻取得部６２とを機能部として実現する。
【００４０】
商品情報読取部５０は、読取手段の一例である。商品情報読取部５０は、顧客が購入する商品に付与された当該商品の商品情報を含むバーコード（第１の符号化情報の一例）を読み取る。なお、商品情報読取部５０が読み取る商品情報とは、商品に付与されたバーコードが含む、商品を一意に特定する商品コードである。
【００４１】
入庫カード読取部５２は、読取手段の一例である。入庫カード読取部５２は、車両を駐車場に入庫した際に発行される、入庫時刻を含む情報（第２の符号化情報の一例）が印字された入庫カードを読み取る。
【００４２】
商品料金算出部５４は、第１の算出手段の一例である。商品料金算出部５４は、商品情報読取部５０が、商品に付与されたバーコードが含む商品情報を読み取ったことを条件として、商品の料金を算出する。なお、商品料金算出部５４は、制御部３０（ＣＰＵ３１）がメモリ部２６から読み出した商品マスタファイルＦ１と、バーコードから読み取った商品コードとを照合することによって商品の料金を算出する。
【００４３】
商品登録部５５は、販売対象の商品情報を、非図示の販売商品登録テーブルに登録する。具体的には、商品登録部５５は、前述した商品情報読取部５０が読み取った商品情報と、キーボード１３（図４）から入力された販売個数とを販売商品登録テーブルに登録する。
【００４４】
駐車料金算出部５６は、第２の算出手段の一例である。駐車料金算出部５６は、入庫カード読取部５２が、入庫カードに記録された入庫時刻を読み取ったことを条件として、現在時刻取得部６２が取得した現在時刻（入庫カード読取部５２が入庫時刻を読み取った時刻）と、入庫時刻と、駐車場の駐車料金表とに基づいて、駐車料金を算出する。具体的には、駐車料金算出部５６は、現在時刻と入庫時刻との差分値によって、駐車時間を算出する。そして、駐車料金算出部５６は、駐車時間と駐車料金表とを照合することによって、駐車料金を算出する。ここで、駐車料金算出部５６は、制御部３０（ＣＰＵ３１）がメモリ部２６に記憶された駐車料金マスタファイルＦ２を読み出すことによって、駐車料金表を取得する。なお、駐車料金算出部５６は、商品料金算出部５４が算出した顧客の商品購入金額を参照して、購入金額に応じて、駐車料金の割引を行うようにしてもよい。
【００４５】
会計処理部５７は、顧客が購入する商品の会計処理を行う。なお会計処理とは、例えば、一取引において商品等の代金を支払う処理である。
【００４６】
レシート発行部５８は、第１の発行手段の一例である。レシート発行部５８は、商品料金算出部５４が算出した商品の料金と、駐車料金算出部５６が算出した駐車料金とを含む印字情報を作成して、レシート７０ａ（図８（ａ））として発行する。また、レシート発行部５８は、レシート７０ａと、入庫カード読取部５２が入庫カードに記録された入庫時刻を読み取った時刻と駐車料金が支払済であることとを示すバーコード８２（第３の符号化情報の一例）（図９）と、を１枚のレシート７０ｂにまとめて印字して発行する。
【００４７】
出庫カード発行部６０は、第２の発行手段の一例である。出庫カード発行部６０は、駐車料金算出部５６が駐車料金を算出したことを条件として、入庫カード読取部５２が入庫カードに記録された入庫時刻を読み取った時刻と駐車料金が支払済であることとを示すバーコード８２（第３の符号化情報の一例）を印字して出庫カード８０（図８（ｂ））として発行する。
【００４８】
現在時刻取得部６２は、制御部３０がＣＰＵ３１にアクセスすることによって、現在時刻を取得する。
【００４９】
（駐車場管理装置の機能構成の説明）
次に、駐車場管理装置１００ａの機能的構成について説明する。図７は、駐車場管理装置１００ａの機能構成を示す機能ブロック図である。
【００５０】
駐車場管理装置１００ａの制御部１３０（ＣＰＵ１３１）は、メモリ部１２６に記憶された制御プログラムＰ２と協働することで、入庫管理部１５０と、出庫管理部１６０とを機能部として実現する。
【００５１】
入庫管理手段の一例である入庫管理部１５０は、入庫時刻取得部１５２と、入庫カード発行部１５４とを備える。入庫時刻取得部１５２は、発券ボタン１０３（図３）が押下された時刻を取得する。入庫カード発行部１５４は、入庫時刻取得部１５２が取得した入庫時刻を含む情報が印字された入庫カードを発行する。
【００５２】
出庫管理手段の一例である出庫管理部１６０は、出庫カード読取部１６２と、入庫カード読取部１６４と、出庫時刻取得部１６６と、駐車料金精算部１６８とを備える。
【００５３】
出庫カード読取部１６２は、ＰＯＳ端末１０ａが発行した出庫カードの内容を読み取る。具体的には、出庫カード読取部１６２は、出庫カードに記録された、入庫時刻と、入庫カード読取部５２が入庫カードに記録された入庫時刻を読み取った時刻と、駐車料金が支払済であることとを示す情報とを読み取る。入庫カード読取部１６４は、入庫カードに記録された入庫時刻を読み取る。なお、入庫カード読取部１６４が入庫カードを読み取るのは、例えば、顧客が店舗で買い物をしなかった場合である。出庫時刻取得部１６６は、入庫カードが入出庫カード出入口１０４（図３）に投入された時刻、または、バーコードリーダ１３８が出庫カードを読み取った時刻を、制御部１３０（ＣＰＵ１３１）から取得する。
【００５４】
駐車料金精算部１６８は、出庫時刻取得部１６６が取得した現在時刻と、いずれも出庫カードに記録されている入庫時刻と、ＰＯＳ端末１０ａが入庫カードに記録された入庫時刻を読み取った時刻と、駐車料金が支払済であることを示す情報とに基づいて、駐車料金を算出し、精算を行う。具体的には、駐車料金精算部１６８は、まず、既にＰＯＳ端末１０ａで駐車料金の支払いが完了しているか、あるいは、支払済の駐車料金に不足がないかを判断する。そして、駐車料金精算部１６８は、既にＰＯＳ端末１０ａで駐車料金の支払いが完了している場合は、精算不要と判断する。一方、支払済の駐車料金に不足がある場合、すなわち、ＰＯＳ端末１０ａにおいて駐車料金の支払いを行った後で、所定の時間が経過することによって、追加の駐車料金が発生した場合には、顧客に対して不足分の精算を行わせる。また、駐車料金精算部１６８は、ＰＯＳ端末１０ａで駐車料金の支払いを行っていない顧客に対して、入庫カードに記録された入庫時刻と、現在時刻との差分値に基づいて駐車料金を算出し、算出された駐車料金の支払いを行わせる。
【００５５】
（ＰＯＳ端末が発行するレシートの説明）
次に、図８（ａ）、図８（ｂ）を用いて、ＰＯＳ端末１０ａが発行するレシート７０ａと出庫カード８０の記載内容について説明する。図８（ａ）は、ＰＯＳ端末１０ａが発行するレシート７０ａの一例を示す図である。図８（ｂ）は、ＰＯＳ端末１０ａが発行する出庫カード８０の一例を示す図である。
【００５６】
レシート７０ａには、発行日時７１と、購入した商品情報、すなわち、商品名７２と、単価７３と、購入数量７４と、小計７５と、精算した駐車料金７６と、購入金額に応じて駐車料金が割引されたことを示す割引情報７７と、合計金額７８とが印字される。
【００５７】
また、出庫カード８０には、出庫の際の注意情報８１と、バーコード８２とが印字される。注意情報８１は、出庫時に、バーコード８２を出庫カード読取部１０５（図３）に翳すことと、所定時間以内に出庫する旨の情報を含む。バーコード８２は、入庫時刻と、ＰＯＳ端末１０ａが入庫カードに記録された入庫時刻を読み取った時刻と、駐車料金が支払済であることを示す情報とが記録されている。なお、出庫カード８０が発行された場合には、この出庫カード８０を用いて、駐車場から車両を出庫させることができるため、入庫時に発行された入庫カードは不要となる。
【００５８】
レシート７０ａと出庫カード８０とは、いずれもＰＯＳ端末１０ａのプリンタ１７（図２）で印字されて、レシート発行口１８から発行される。
【００５９】
なお、レシート７０ａおよび出庫カード８０の印字形態は、図８の例に限定されるものではない。図９は、ＰＯＳ端末１０ａが発行するレシート７０ｂの別の印字例を示す図である。図９に示すレシート７０ｂは、図８（ａ）に示したレシート７０ａと、図８（ｂ）に示した出庫カード８０とを１枚のレシートに纏めて印字した例である。
【００６０】
図９に示すように、レシート７０ｂは、レシート７０ａおよび出庫カード８０が有する印字情報を漏れなく有する。
【００６１】
（駐車場管理装置が入庫時に行う処理の流れの説明）
次に、図１０を用いて、駐車場管理装置１００ａが、車両の入庫時に行う処理の流れについて説明する。
【００６２】
入庫管理部１５０は、発券ボタン１０３が押下されたかを判定する（ステップＳ１０）。発券ボタン１０３が押下された場合（ステップＳ１０；Ｙｅｓ）は、ステップＳ１２に移行する。一方、発券ボタン１０３が押下されない場合（ステップＳ１０；Ｎｏ）は、ステップＳ１０を繰り返す。
【００６３】
ステップＳ１０において、発券ボタン１０３が押下された場合（ステップＳ１０；Ｙｅｓ）、入庫時刻取得部１５２は、制御部１３０（ＣＰＵ１３１）から現在時刻を取得する（ステップＳ１２）。
【００６４】
入庫カード発行部１５４は、プリンタ１３７（図５）で印字した入庫カードを発行する（ステップＳ１４）。その後、図１０の処理を終了する。
【００６５】
（ＰＯＳ端末が会計時に行う処理の流れの説明）
次に、図１１を用いて、ＰＯＳ端末１０ａが会計時に行う処理の流れについて説明する。なお、図１１では、図９に示したレシート７０ｂを印字発行する例を用いて説明する。
【００６６】
商品情報読取部５０（読取手段）は、顧客が購入する商品に付与された当該商品の商品情報を含むバーコード（第１の符号化情報の一例）を読み取る（ステップＳ２０）。
【００６７】
商品料金算出部５４（第１の算出手段）は、制御部３０（ＣＰＵ３１）がメモリ部２６から読み出した商品マスタファイルＦ１と、ステップＳ２０において、商品情報読取部５０が読み取った商品コードとを照合することによって商品の料金を算出する（ステップＳ２２）。
【００６８】
商品登録部５５は、商品登録処理を行う（ステップＳ２３）。
【００６９】
入庫カード読取部５２（読取手段）は、入庫時刻を含む情報（第２の符号化情報）が印字された入庫カードを読み取る（ステップＳ２４）。
【００７０】
現在時刻取得部６２は、制御部３０（ＣＰＵ３１）から現在時刻を取得する（ステップＳ２６）。
【００７１】
駐車料金算出部５６（第２の算出手段）は、ステップＳ２６において現在時刻取得部６２が取得した現在時刻と、ステップＳ２４において読み取った入庫時刻と、駐車場の駐車料金表とに基づいて、駐車料金を算出する（ステップＳ２８）。
【００７２】
制御部３０は、商品の料金の合計金額と駐車料金とを合計することによって、支払総額を算出する（ステップＳ３０）。
【００７３】
会計処理部５７は、会計処理を行う（ステップＳ３１）。
【００７４】
レシート発行部５８は、レシート７０ｂに印字する印字情報を生成する（ステップＳ３２）。
【００７５】
さらに、レシート発行部５８は、レシート７０ｂを印字して発行する（ステップＳ３４）。
【００７６】
なお、ＰＯＳ端末１０ａが、図８に示したように、レシート７０ａと出庫カード８０とを分けて発行する際には、レシート発行部５８がレシート７０ａを発行して、出庫カード発行部６０が出庫カード８０を発行する。
【００７７】
（駐車場管理装置が出庫時に行う処理の流れの説明）
次に、図１２を用いて、駐車場管理装置１００ａが、車両の出庫時に行う処理の流れについて説明する。
【００７８】
出庫カード読取部１６２が、レシート７０ｂに印字されたバーコード８２、或いは、出庫カード８０に印字されたバーコード８２を読み取ったかを判定する（ステップＳ４０）。バーコード８２が読み取られた場合（ステップＳ４０；Ｙｅｓ）は、ステップＳ４２に移行する。
【００７９】
出庫時刻取得部１６６は、制御部１３０（ＣＰＵ１３１）から現在時刻を取得する（ステップＳ４２）。
【００８０】
駐車料金精算部１６８は、駐車料金に不足がないかを判定する（ステップＳ４４）。駐車料金に不足がない場合（ステップＳ４４；Ｙｅｓ）は、図１２の処理を終了する。その後、駐車場管理装置１００ａは、バー１１１（図３）を開き、車両を出庫させる。
【００８１】
一方、ステップＳ４４において、駐車料金が不足している場合（ステップＳ４４；Ｎｏ）は、駐車料金精算部１６８は、不足している駐車料金を精算させる（ステップＳ４６）。その後、図１２の処理を終了する。
【００８２】
なお、ステップＳ４０において、レシート７０ｂまたは出庫カード８０に印字されたバーコード８２が読み取られない場合（ステップＳ４０；Ｎｏ）は、入庫カード読取部１６４は、入庫カードが挿入されたかを判定する（ステップＳ４８）。入庫カードが挿入された場合（ステップＳ４８；Ｙｅｓ）は、ステップＳ５０に移行して、入庫カードが挿入されない場合（ステップＳ４８；Ｎｏ）は、ステップＳ４０に戻る。なお、入庫カードが挿入されるのは、顧客が店舗で買い物を行わなかった場合である。
【００８３】
一方、ステップＳ４８において、入庫カードが挿入された場合（ステップＳ４８；Ｙｅｓ）、出庫時刻取得部１６６は、現在時刻を出庫時刻として取得する（ステップＳ５０）。
【００８４】
次に、駐車料金精算部１６８は、駐車料金を算出する（ステップＳ５２）。
【００８５】
続いて、駐車料金精算部１６８は、顧客に対して駐車料金を精算させる（ステップＳ５４）。具体的には、駐車料金精算部１６８は、図３に示す精算機１０１の表示部１０２に駐車料金を表示する。そして、駐車料金精算部１６８は、紙幣投入口１０６または硬貨投入口１０７への駐車料金の投入を指示する。さらに、駐車料金精算部１６８は、投入された紙幣または硬貨を計数して、紙幣返却口１０８または硬貨返却口１０９から釣銭を返却して、駐車料金の精算を完了する。その後、図１２の処理を終了する。
【００８６】
以上説明したように、実施形態のＰＯＳ端末１０ａ（商品販売データ処理装置）によれば、ＰＯＳ端末１０ａ（商品販売データ処理装置）の商品情報読取部５０（読取手段）が、店舗で販売される商品に付与された、当該商品の商品情報を含むバーコード（第１の符号化情報）を読み取る。そして、入庫カード読取部５２（読取手段）が、車両を駐車場に入庫した際に発行される、入庫時刻を含む情報（第２の符号化情報）が印字された入庫カードを読み取る。さらに、商品料金算出部５４（第１の算出手段）が商品の料金を算出して、駐車料金算出部５６（第２の算出手段）が、入庫時刻を含む情報を読み取った時刻と入庫時刻との差分値と、駐車場の駐車料金表とに基づいて、駐車料金を算出する。そして、会計処理部５７（会計手段）は、商品の料金および駐車料金の支払処理を行う。次に、レシート発行部５８（第１の発行手段）が、商品料金算出部５４が算出した商品の料金と、駐車料金算出部５６が算出した駐車料金とをそれぞれ印字したレシート７０ａを発行する。また、出庫カード発行部６０（第２の発行手段）が、駐車料金算出部５６が駐車料金を算出したことを条件として、入庫カード読取部５２が入庫時刻を含む情報を読み取った時刻と、駐車料金が支払済であることとを示すバーコード８２（第３の符号化情報）を印字した出庫カード８０を発行する。したがって、顧客は、購入した商品の会計と駐車料金の会計とを１回で済ませることができる。
【００８７】
また、実施形態のＰＯＳ端末１０ａによれば、レシート発行部５８は、レシート７０ａと出庫カード８０とを１枚のレシート７０ｂとして発行する。したがって、顧客が出庫カード８０を紛失する可能性を低減させることができる。
【００８８】
そして、実施形態のＰＯＳ端末１０ａによれば、第１の符号化情報および第２の符号化情報はバーコードである。したがって、既存のバーコードリーダを用いて、符号化情報を容易かつ確実に読み取ることができる。
【００８９】
さらに、実施形態のＰＯＳ端末１０ａによれば、駐車料金算出部５６は、商品の料金に応じて、駐車料金を算出する。したがって、商品の購入金額に応じた駐車料金の割引サービスを簡便に実施することができる。
【００９０】
また、実施形態の商品販売データ処理システム１によれば、入庫管理部１５０（入庫管理手段）が、車両の入庫時に入庫時刻を含む第２の符号化情報が印字された入庫カードを発行する。そして、ＰＯＳ端末１０ａの商品情報読取部５０が、店舗で販売される商品に付与された、当該商品の商品情報を含むバーコードを読み取る。そして、入庫カード読取部５２が、車両を駐車場に入庫した際に発行される、入庫時刻を含む情報が印字された入庫カードを読み取る。さらに、商品料金算出部５４が商品の料金を算出して、駐車料金算出部５６が、入庫時刻を含む情報を読み取った時刻と入庫時刻との差分値と、駐車場の駐車料金表とに基づいて、駐車料金を算出する。そして、会計処理部５７（会計手段）は、商品の料金および駐車料金の支払処理を行う。次に、レシート発行部５８が、商品料金算出部５４が算出した商品の料金と、駐車料金算出部５６が算出した駐車料金とをそれぞれ印字したレシート７０ａを発行する。また、出庫カード発行部６０が、駐車料金算出部５６が駐車料金を算出したことを条件として、入庫カード読取部５２が入庫時刻を含む情報を読み取った時刻と、駐車料金が支払済であることとを示すバーコード８２を印字した出庫カード８０を発行する。そして、出庫管理部１６０（出庫管理手段）が、車両の出庫時に、出庫カード８０に印字されたバーコード８２（第３の符号化情報）を読み取って、駐車料金が支払済であるかの確認、および駐車料金が不足であった場合の精算を行う。したがって、顧客は、購入した商品の会計と駐車料金の会計とを１回で済ませることができる。
【００９１】
本発明のいくつかの実施形態を説明したが、これらの実施形態は、いずれも例示であり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００９２】
例えば、実施形態の商品販売データ処理システム１において、入庫の際に使用した駐車場のゲートと、出庫の際に使用する駐車場のゲートとが異なっていても、商品販売データ処理システム１は、前述したのと同様に機能する。すなわち、入庫時に使用した駐車場管理装置１００ａとは異なる駐車場管理装置１００ｍを出庫時に使用した場合であっても、ＰＯＳ端末１０ａが発行した、バーコード８２が印字された、レシート７０ｂまたは出庫カード８０を用いて、車両を駐車場から出庫させることができる。
【符号の説明】
【００９３】
１０ａ、１０ｎ      ＰＯＳ端末（商品販売データ処理装置）
５０                商品情報読取部（読取手段）
５２                入庫カード読取部（読取手段）
５４                商品料金算出部（第１の算出手段）
５６                駐車料金算出部（第２の算出手段）
５８                レシート発行部（第１の発行手段）
６０                出庫カード発行部（第２の発行手段）
７０ａ、７０ｂ      レシート
８０                出庫カード
１００ａ、１００ｍ  駐車場管理装置
１５０              入庫管理部（入庫管理手段）
１６０              出庫管理部（出庫管理手段）
【先行技術文献】
【特許文献】
【００９４】
【特許文献１】特開平１１−２０３５５９号公報
【図１】
2018101370.tif 000003
【図２】
2018101370.tif 000004
【図３】
2018101370.tif 000005
【図４】
2018101370.tif 000006
【図５】
2018101370.tif 000007
【図６】
2018101370.tif 000008
【図７】
2018101370.tif 000009
【図８】
2018101370.tif 000010
【図９】
2018101370.tif 000011
【図１０】
2018101370.tif 000012
【図１１】
2018101370.tif 000013
【図１２】
2018101370.tif 000014